(57)【要約】【課題】撮影者の想定した構図を得ることができる撮影システムを提供する。【解決手段】デジタルカメラで遠隔操作モードに設定すると、デジタルカメラから携帯電話機にスルー画信号が送信される。携帯電話機では、スルー画信号に応答してＬＣＤからデジタルカメラで撮像されたスルー画像が表示される。携帯電話機のＬＣＤからスルー画像が表示されているときにズーム操作ボタンが押下されるとズーム信号が携帯電話機からデジタルカメラに送信される。これに応答してデジタルカメラではスルー画像のズーム制御が行われる。セルフタイマー回路の残り時間が「０」になるか携帯電話機のシャッタボタンが押下されると撮影信号がデジタルカメラに送信される。これに応答してデジタルカメラでは、被写体画像が撮影され、撮影によって得られた画像データがメモリカードに書き込まれる。【選択図】図３
2007173979.tif 000002
【特許請求の範囲】
【請求項１】
スルー画像のズーム制御が可能なデジタルカメラと、前記スルー画像を表示するとともに、前記スルー画像のズーム操作及び前記デジタルカメラでのシャッタ操作が可能な外部端末機とを備え、
前記デジタルカメラでは、外部端末機でズーム操作が行われたときに無線で送信されるズーム信号に応答してズーム制御が行われるとともに、外部端末機でシャッタ操作が行われたときに送信される撮影信号に応答して被写体画像が撮影され、
前記外部端末機では、デジタルカメラでスルー画像が撮像されたときに無線で送信されるスルー画信号に応答してスルー画が表示されることを特徴する撮影システム。
【請求項２】
前記デジタルカメラはセルフタイマー機能を有するとともに、前記外部端末機では前記セルフタイマーを作動させるタイマー作動操作が可能であり、
前記デジタルカメラでは、外部端末機でタイマー作動操作が行われたときに無線で送信されるタイマー作動信号に応答してセルフタイマーが作動することを特徴とする請求項１記載の撮影システム。
【請求項３】
前記外部端末機では前記セルフタイマーの作動時間を設定するタイマー設定操作が可能であり、タイマー設定操作によって設定された作動時間がタイマー作動信号によって前記デジタルカメラに送信されることを特徴とする請求項２記載の撮影システム。
【発明の詳細な説明】
【技術分野】
【０００１】
本発明は、外部端末機によってデジタルカメラの遠隔操作が可能な撮影システムに関する。
【背景技術】
【０００２】
撮影者自身が被写体となって画像に写り込むことが可能なセルフタイマー機能を有するデジタルカメラが広く知られている。セルフタイマー機能を使用して撮影を行う場合には、液晶ディスプレイで表示されるスルー画像を確認する、あるいは、ファインダを覗き込むことによって予めその構図を想定しておく。そして、撮影する画像の構図を決定した後にセルフタイマーを作動させ、セルフタイマーの作動中に撮影者が撮影範囲内に移動すれば画像に撮影者自身が写り込むことができる。しかし、セルタイマー機能を有するデジタルカメラでは、セルフタイマーの作動時間の設定などその作動に伴う操作が必要となり、このことが撮影者に煩わしさを感じさせることがある。このため、例えば特許文献１で示されるようにリモートコントローラ（リモコン）でのシャッタ操作を可能にすることによって撮影者が被写体として画像に写り込むことを可能にすることが考えられる。これにより、煩わしい操作を伴うことなく撮影者は被写体として画像に写り込むことが可能になる。
【特許文献１】特開２００３−３０９７５７号公報
【発明の開示】
【発明が解決しようとする課題】
【０００３】
しかしながら、上記のいずれの方法においても、事前に決定した構図の画像が得られるように撮影者はおおよその予測をたてて撮影範囲内に移動する必要があるため、例えば想定した範囲の背景が得られていない、あるいは、被写体と背景のバランスが想定したバランスと比較して差があるなど、予め想定した構図の画像が得られないことがあった。この場合、予め想定した構図の画像が得られるまで撮影を繰り返さなければならず、このことは撮影者に不便さを感じさせていた。また、例えばスルー画像のズーム操作を行って画像の構図を調整する場合にはそのたびにデジタルカメラでスルー画像を確認しながらズーム操作を行う必要があり、このことも撮影者に煩わしさを感じさせていた。さらに、特許文献１の方法ではリモコンを用いてシャッタ操作を行うとその動作が画像に写り込んでしまうため、撮影者の想定した構図の画像を得られないという欠点があった。
【０００４】
本発明は、上記の事情を考慮してなされたものであり、撮影者の想定した構図を得ることができる撮影システムを提供することを目的とする。
【課題を解決するための手段】
【０００５】
本発明の撮影システムは、スルー画像のズーム制御が可能なデジタルカメラと、前記スルー画像を表示するとともに、前記スルー画像のズーム操作及び前記デジタルカメラでのシャッタ操作が可能な外部端末機とを備え、前記デジタルカメラでは、外部端末機でズーム操作が行われたときに無線で送信されるズーム信号に応答してズーム制御が行われるとともに、外部端末機でシャッタ操作が行われたときに送信される撮影信号に応答して被写体画像が撮影され、前記外部端末機では、デジタルカメラでスルー画像が撮像されたときに無線で送信されるスルー画信号に応答してスルー画が表示されるものである。
【０００６】
なお、前記デジタルカメラはセルフタイマー機能を有するとともに、前記外部端末機では前記セルフタイマーを作動させるタイマー作動操作が可能であり、前記デジタルカメラでは、外部端末機でタイマー作動操作が行われたときに無線で送信されるタイマー作動信号に応答してセルフタイマーが作動することが好ましい。
【０００７】
また、前記外部端末機では前記セルフタイマーの作動時間を設定するタイマー設定操作が可能であり、タイマー設定操作によって設定された作動時間がタイマー作動信号によって前記デジタルカメラに送信されることが好ましい。
【発明の効果】
【０００８】
本発明の撮影システムは、デジタルカメラでは、外部端末機でズーム操作が行われたときに無線で送信されるズーム信号に応答してズーム制御が行われるとともに、外部端末機でシャッタ操作が行われたときに送信される撮影信号に応答して被写体画像が撮影され、外部端末機では、デジタルカメラでスルー画像が撮像されたときに無線で送信されるスルー画信号に応答してスルー画が表示されるので、デジタルカメラの撮影範囲内に居ながらもスルー画像の確認及びそのズーム操作を行うことが可能になり、撮影者の想定した構図を得ることができる。
【０００９】
また、デジタルカメラでは、外部端末機でタイマー作動操作が行われたときに無線で送信されるタイマー作動信号に応答してセルフタイマーが作動するので、セルフタイマーの作動中に外部端末機をデジタルカメラの撮影範囲外に移動させることが可能になり、外部端末機を操作しているときの動作が画像に写り込むことを防止できる。これにより、より確実に撮影者の想定した構図を得ることができる。
【００１０】
また、外部端末機ではセルフタイマーの作動時間を設定するタイマー設定操作が可能であり、タイマー設定操作によって設定された作動時間がタイマー作動信号によってデジタルカメラに送信されるので、事前に想定した構図とするために撮影の準備を行う時間を撮影者の意図によって決定することが可能になり、より確実に撮影者の想定した構図を得ることができる。
【発明を実施するための最良の形態】
【００１１】
図１において、撮影システム２は、デジタルカメラ３と携帯電話機（外部端末機）４とから構成されている。デジタルカメラ３には、撮像レンズ１０、ＣＣＤイメージセンサ１１、システムコントローラ１２、ＲＯＭ１３、ＲＡＭ１４、操作部１５、液晶ディスプレイ（ＬＣＤ）１６などが設けられている。システムコントローラ１２にはデータバス１７を介して各部が接続されている。ＲＯＭ１３には、デジタルカメラ３の動作を制御するためのプログラムやデータが格納されている。システムコントローラ１２はＲＯＭ１３のプログラムやデータを読み出して各部の制御を行う。ＲＡＭ１４は作業用メモリからなり、デジタルカメラ３の制御に伴う一時的なデータの保存などに用いられる。デジタルカメラ３には、操作部１５に設けられたシャッタボタンを押下してシャッタ操作を行う通常撮影モードと携帯電話機４からの撮影信号に応答してシャッタ動作を行う遠隔操作モードとが設定されている。これらの撮影モードの選択は操作部１５に設けられた撮影モード選択スイッチで行われる。
【００１２】
ＣＣＤイメージセンサ１１は、撮影レンズ１０を介して取り込まれた被写体光を撮像（光電変換）する。撮像レンズ１０は、主レンズ、ズームレンズ及びフォーカスレンズを備えている。ズームレンズ及びフォーカスレンズにはレンズモータ１０ａが接続されており、各レンズはレンズモータ１０ａによってそれぞれ個別に駆動される。レンズモータ１０ａはステッピングモータからなり、システムコントローラ１２からモータドライバ１０ｂを介して送信される駆動パルスによりその駆動が制御される。
【００１３】
システムコントローラ１２は、携帯電話機４に設けられたズーム操作ボタン３１ｂ（図２参照）の操作に応答してズームレンズをワイド側あるいはテレ側に移動させ、各焦点距離においてフォーカスレンズを合焦位置に移動させる。これにより、スルー画像のズーム制御が行われる。
【００１４】
ＣＣＤイメージセンサ１１は、ＣＣＤドライバ１８から供給されるパルスに応じて、撮像信号を順次に外部出力する。アナログ信号処理部１９は、ＣＣＤイメージセンサ１１から出力された撮像信号を取り込み、相関二重サンプリング処理やゲイン調整などの所定のアナログ信号処理を施す。Ａ／Ｄコンバータ２０は、アナログ信号処理部１９から出力された撮像信号をデジタル化する。
【００１５】
デジタル信号処理部２１は、Ａ／Ｄコンバータ２０から出力された撮像信号を取り込み、該撮像信号に対して、輝度・色差信号変換処理、ガンマ補正、シャープネス補正、コントラスト補正、ホワイトバランス補正などの所定の画像処理を施す。画像処理が行われた画像データはフレームメモリ２２に格納される。
【００１６】
フレームメモリ２２には、デジタル信号処理部２１で各種処理が施された１フレーム分の画像データが書き込まれる。システムコントローラ１２は、フレームメモリ２２に書き込まれた画像データをＮＴＳＣ方式に変換する。そして、通常撮影モードでは変換した画像データをスルー画像としてＬＣＤ１６から表示させる。
【００１７】
画像圧縮部２３は、シャッタ操作が行われたときにフレームメモリ２２の画像データを所定の圧縮形式（例えばＪＰＥＧ形式）に従って圧縮処理を施す。圧縮処理が施された画像データはメディアコントローラ２４によってメモリカード２５に書き込まれる。
【００１８】
赤外線通信部２６は、携帯電話機４との間で赤外線によるデータ通信を行う。遠隔操作モードでは、フレームメモリ２２に書き込まれた画像データがスルー画信号として赤外線通信部２６から携帯電話機４に送信される。
【００１９】
デジタルカメラ３にはセルタイマー回路２７を設けることによってセルフタイマー機能が付加されている。システムコントローラ１２は、撮影者によって設定された時間をセルフタイマー回路２７にセットする。セルフタイマー回路２７はその作動とともにセットされた時間のカウントダウンを開始する。そして、セルフタイマー回路２７での残り時間が「０」になったときに静止画像の撮影が行われる。
【００２０】
図２において、携帯電話機４では、システムコントローラ３０によってその動作が管制される。操作部３１では携帯電話機４を動作させるための各種操作が行われる。操作部３１での操作が行われるとシステムコントローラ３０はこれに応答して携帯電話機４の動作を制御する。
【００２１】
ＲＯＭ３２には、携帯電話４の動作を制御するためのプログラムやデータが格納されている。システムコントローラ３０はＲＯＭ３２のプログラムやデータを読み出して各部の制御を行う。ＲＡＭ３３は作業用メモリからなり、携帯電話４の制御に伴う一時的なデータの保存などに用いられる。
【００２２】
携帯電話４は赤外線通信部３４を備えている。赤外線通信部３４はデジタルカメラ３との間で赤外線によるデータ通信を行う。デジタルカメラ３から送信されたスルー画信号を赤外線通信部３４が受信すると、システムコントローラ３０はスルー画信号に含まれる画像データをフレームメモリ３５に書き込む。そして、システムコントローラ３０はフレームメモリ３５に書き込んだ画像データをＮＴＳＣ方式に変換し、変換した画像データをスルー画像としてＬＣＤ３６から表示させる。
【００２３】
操作部３１は、電話番号などの入力に使用されるプッシュボタンに加え、シャッタボタン３１ａ、ズーム操作ボタン３１ｂ、タイマー作動ボタン３１ｃ、タイマー設定ダイヤル３１ｄを備えている。
【００２４】
シャッタボタン３１ａが押下（シャッタ操作）されると赤外線通信部３４からデジタルカメラ３に撮影信号が送信される。これに応答してデジタルカメラ３ではフレームメモリ２２の画像データがメモリカード２５に書き込まれる。
【００２５】
ズーム操作ボタン３１ｂが押下（ズーム操作）されると赤外線通信部３４からデジタルカメラ３にズーム信号が送信される。これに応答してデジタルカメラ３ではレンズモータ１０ａによってズームレンズ及びフォーカスレンズが駆動され、スルー画像のズーム制御が行われる。
【００２６】
タイマー作動ボタン３１ｃが押下（タイマー作動操作）されると赤外線通信部４からデジタルカメラ３にタイマー作動信号が送信される。これに応答してデジタルカメラ３ではセルフタイマー回路２７が作動される。
【００２７】
タイマー設定ダイヤル３１ｄはタイマー作動ボタン３１ｃの押下前に操作される。タイマー設定ダイヤル３１ｄが操作（タイマー設定操作）されるとセルフタイマー回路２７の作動時間が設定される。タイマー設定ダイヤル３１ｄで設定された作動時間はタイマー作動時間によってデジタルカメラ３に送信される。デジタルカメラ３ではタイマー設定ダイヤル３１ｄで設定された作動時間がセルフタイマー回路２７にセットされる。
【００２８】
電波通信部３７は、基地局および回線網を介して他の携帯電話機や固定電話機と電波信号（送話信号および受話信号）の送受信を行う。音声処理部３８は、電波通信部３７が受信した電波信号を電気的な音声信号に変換する。受話スピーカ３９は、この電気的な音声信号を音に変換して、外部に出力する。送話マイク４０は、話者の音声を電気的な音声信号に変換する。また、音声処理部３８は、上記とは逆に、電気的な音声信号を電波信号に変換し、電波通信部３７に出力させる。
【００２９】
次に、デジタルカメラ３で遠隔操作モードを設定した場合の処理の流れを図３のフローチャートを用いて説明する。まず、デジタルカメラ３で遠隔操作モードに設定する（ステップＳ１０１）と、デジタルカメラ３から携帯電話機４にスルー画信号が送信される（ステップＳ１０２）。携帯電話機４では、スルー画信号に応答してＬＣＤ３６からデジタルカメラ３で撮像されたスルー画像が表示される（ステップＳ１０３）。携帯電話機４のＬＣＤ３６からスルー画像が表示されているときにズーム操作ボタン３１ｂが押下されるとズーム信号が携帯電話機４からデジタルカメラ３に送信される（ステップＳ１０４）。これに応答してデジタルカメラ３ではスルー画像のズーム制御が行われる（ステップＳ１０５）。撮影者が携帯電話機４でタイマー設定ダイヤル３１ｄを操作してタイマー作動ボタン３１ｃを押下するとタイマー作動信号が携帯電話機４からデジタルカメラ３に送信される（ステップＳ１０６）。デジタルカメラ３ではタイマー作動信号に応答して、撮影者が設定した作動時間がセルフタイマー回路２７にセット（ステップＳ１０７）され、セルフタイマー回路２７が作動を開始する（ステップＳ１０８）。セルフタイマー回路２７が作動を開始するとセルタイマー回路２７にセットされた作動時間のカウントダウンが開始される（ステップＳ１０９）。セルフタイマー回路２７の残り時間が「０」になる（ステップＳ１１０）と被写体画像が撮影（ステップＳ１１１）され、撮影によって得られた画像データがメモリカード２５に書き込まれる。また、セルフタイマー回路が作動されなかった場合は、スルー画像の表示中に携帯電話機４のシャッタボタン３１ａが押下されると撮影信号がデジタルカメラ３に送信される（ステップＳ１１２）。これに応答してデジタルカメラ３では、被写体画像が撮影（ステップＳ１１３）され、撮影によって得られた画像データがメモリカード２５に書き込まれる。
【００３０】
上記実施形態では、外部端末機として携帯電話４を例に挙げて説明したが、外部端末機としては、例えばＰＤＡ（Personal   Digital   Assistant）などの適宜の端末機器を用いてよい。
【００３１】
上記実施形態では、デジタルカメラ３と携帯電話機４との間でのデータ送受信を赤外線通信によって行うようにしたが、例えばブルートゥースによるものやIEEE 802 11b+gによるものなど適宜の方式でデジタルカメラ３と携帯電話機４との間でのデータ送受信を行ってよい。
【図面の簡単な説明】
【００３２】
【図１】本発明の撮影システムを構成するデジタルカメラの電気構成を示すブロック図である。
【図２】本発明の撮影システムを構成する携帯電話機の電気構成を示すブロック図である。
【図３】デジタルカメラで遠隔操作モードを選択した場合の撮影システムの処理の流れを示すフローチャートである。
【符号の説明】
【００３３】
２  撮影システム
３  デジタルカメラ
４  携帯電話機
１２  システムコントローラ
２６，３４  赤外線通信部
２７  セルフタイマー回路
３０  システムコントローラ
３１  操作部
３１ａ  シャッタボタン
３１ｂ  ズーム操作ボタン
３１ｃ  タイマー作動ボタン
３１ｄ  タイマー設定ダイヤル
【図１】
2007173979.tif 000003
【図２】
2007173979.tif 000004
【図３】
2007173979.tif 000005